(57)【要約】【課題】棚板の棚受への着脱が容易で、かつ、棚板をスライドさせて使用する際に、棚受から外れることを防止可能な商品陳列棚を提供すること。【解決手段】商品陳列棚１は、棚板２６を、支柱４から延びる棚受６に対して前方にスライド可能に、棚受６に取り付けている。各棚受６が、棚板２６に配置される回動自在な棚板側ローラ２８を転動可能に、前後方向に沿って配置されるレール部９を、備える。レール部９が、棚板側ローラ２８の上方と下方とに配置される上ガイド壁１２及び下ガイド壁１１と、上ガイド壁１２の前側に配置されるレール部側ローラ１６と、を備える。レール部側ローラ１６は、上ガイド壁１２との間の隙間から棚板側ローラ２８を挿通不能に、上ガイド壁１２に近接して配置される。上ガイド壁１２が、支柱４近傍となる後端側の領域を切り欠かれるようにして、棚板側ローラ２８を挿通可能な開口１３を、備えている。【選択図】図２
0003169920.tif 000002
【実用新案登録請求の範囲】
【請求項１】
左右で並設される２本の支柱と、該支柱からそれぞれ前方に延びるように配置される棚受と、該棚受により少なくとも左右の縁部側を支持されて上面に商品を陳列する棚板と、を備える構成とされて、
前記棚板が、前記棚受に対して前方にスライド可能に、前記棚受に取り付けられる構成の商品陳列棚であって、
前記各棚受が、前記棚板における左右両縁側の後端近傍に配置される回動自在な棚板側ローラを転動可能に、前後方向に沿って配置されるレール部を、備える構成とされ、
該レール部が、前記棚板側ローラの上方と下方とにおいてそれぞれ前後方向に略沿って配置される上ガイド壁及び下ガイド壁と、前記上ガイド壁の前側に配置されて前記棚板の下面側を支持して回動可能なレール部側ローラと、を備える構成とされ、
前記レール部側ローラは、前記上ガイド壁との間の隙間から前記棚板側ローラを挿通不能に、前記上ガイド壁に近接して配置され、
前記上ガイド壁が、前記支柱近傍となる後端側の領域を切り欠かれるようにして、前記棚板側ローラを挿通可能な開口を、備えていることを特徴とする商品陳列棚。
【請求項２】
前記レール部及び収納時の前記棚板が、水平面に対して、僅かに前上がりに傾斜して構成され、
前記棚板側ローラが、外径寸法を、前記レール部側ローラより小径であって、かつ、前記上ガイド壁と前記下ガイド壁との間の離隔距離より、小さな寸法に設定され、
前記レール部において、前後の中央より前方となる位置に、前記棚板のスライド移動時に前方移動する前記棚板側ローラを、停止可能なストッパが、配置されていることを特徴とする請求項１に記載の商品陳列棚。
【請求項３】
前記棚板の前縁側における裏面側に、前記棚受に対する前記棚板のスライドを規制可能なロック機構が、配置され、
該ロック機構が、下方側から把持することにより、ロック解除可能に構成されていることを特徴とする請求項１又は２に記載の商品陳列棚。
【考案の詳細な説明】
【技術分野】
【０００１】
本考案は、スーパーマーケット等の小売店で使用される商品陳列棚に関する。
【背景技術】
【０００２】
通常、商品陳列棚は、棚受により左右両縁側を支持される棚板を有する構成とされているが、陳列商品の補充作業性を良好とするために、棚板を棚受に対して前方にスライド可能とした構成のものがあった（例えば、特許文献１参照）。
【先行技術文献】
【特許文献】
【０００３】
【特許文献１】特開２００８−２０６７７０公報
【考案の概要】
【考案が解決しようとする課題】
【０００４】
この従来の商品陳列棚では、棚受と棚板との間に配置されるスライドレール機構や、棚受における前端付近と棚板における後端付近とにそれぞれ設けられる２つのローラを、利用して、棚板が棚受に対して前方にスライド可能に構成されている。しかしながら、従来の商品陳列棚において、スライドレール機構を使用する場合、スライドレール機構は、棚受側と棚板側との両方にねじ止めされていることから、メンテナンス時等において、棚板を棚受から取り外す際に、複数のねじを外す作業が必要となって、また、棚板を棚受に再度取り付ける際にも、複数のねじ止め作業が必要となることから、棚板を棚受に対して着脱させる際に、多くの作業工数を必要としていた。また、従来の商品陳列棚において、２つのローラを利用して棚板を棚受に対してスライド可能に取り付けている構成の場合、棚板を棚受の前端側から取り外し可能な構成とされていることから、前方へスライド移動させて使用する際に、棚板が誤って棚受から外れてしまう場合もあった。
【０００５】
本考案は、上述の課題を解決するものであり、棚板の棚受への着脱が容易で、かつ、棚板をスライドさせて使用する際に、棚受から外れることを防止可能な商品陳列棚を提供することを目的とする。
【課題を解決するための手段】
【０００６】
本考案に係る商品陳列棚は、左右で並設される２本の支柱と、支柱からそれぞれ前方に延びるように配置される棚受と、棚受により少なくとも左右の縁部側を支持されて上面に商品を陳列する棚板と、を備える構成とされて、
棚板が、棚受に対して前方にスライド可能に、棚受に取り付けられる構成の商品陳列棚であって、
各棚受が、棚板における左右両縁側の後端近傍に配置される回動自在な棚板側ローラを転動可能に、前後方向に沿って配置されるレール部を、備える構成とされ、
レール部が、棚板側ローラの上方と下方とにおいてそれぞれ前後方向に略沿って配置される上ガイド壁及び下ガイド壁と、上ガイド壁の前側に配置されて棚板の下面側を支持して回動可能なレール部側ローラと、を備える構成とされ、
レール部側ローラは、上ガイド壁との間の隙間から棚板側ローラを挿通不能に、上ガイド壁に近接して配置され、
上ガイド壁が、支柱近傍となる後端側の領域を切り欠かれるようにして、棚板側ローラを挿通可能な開口を、備えていることを特徴とする。
【０００７】
本考案の商品陳列棚では、棚板の後端近傍に配置される棚板側ローラを転動させるレール部において、棚板側ローラの上方に配置される上ガイド壁が、前方に配置されるレール部側ローラとの間の隙間を小さくするとともに、支柱近傍となる後端側の領域に、棚板側ローラを挿通可能な開口を備える構成としていることから、棚板を、前方にスライド移動させた状態では、棚受から取り外すことができず、後方へ収納させた状態においてのみ、棚板側ローラを開口に挿通させるようにして、棚受から取り外すことができる。そのため、使用時において、棚板を前方へスライドさせた際に、棚板が誤って棚受から外れることを的確に防止することができる。また、本考案の商品陳列棚では、棚板は、棚板側ローラを上ガイド壁に形成される開口に挿通させつつ、全体を上方移動させれば、棚受から取り外すことができることから、棚受への着脱も容易であり、メンテナンス作業等も容易である。
【０００８】
したがって、本考案の商品陳列棚では、棚板の棚受への着脱が容易で、かつ、棚板をスライドさせて使用する際に、棚受から外れることを防止することができる。
【０００９】
また、本考案の商品陳列棚では、棚板を棚受に対してスライドさせるためのローラが、棚板の後端近傍に配置される棚板側ローラと、棚受におけるレール部の前端近傍に配置されるレール部側ローラと、の前後の２箇所に配置されていることから、重量物を載置させた場合にも、棚板を棚受に対して安定して前後にスライドさせることができる。
【００１０】
さらに、本考案の商品陳列棚において、レール部及び収納時の棚板を、水平面に対して、僅かに前上がりに傾斜して構成し、
棚板側ローラの外径寸法を、レール部側ローラより小径であって、かつ、上ガイド壁と下ガイド壁との間の離隔距離より、小さな寸法に設定し、
レール部において、前後の中央より前方となる位置に、棚板のスライド移動時に前方移動する棚板側ローラを、停止可能なストッパを、配置させる構成とすることが好ましい。
【００１１】
上記構成の商品陳列棚では、棚板のスライド前の状態では、棚板側ローラは、上ガイド壁との間に隙間を設けるようにして、下ガイド壁に接触して配置されることとなる。そして、棚板及びレール部が水平面に対して僅かに前上がりに傾斜していることから、スライド移動初期には、棚板は、棚板側ローラを下ガイド壁に対して転動させつつ、前方移動することとなるが、重心をレール部側ローラの前方に位置させるまで、棚板が前方移動すれば、棚板は、このレール部側ローラを支点として、棚受に対して前下がりに傾斜することとなり、棚板側ローラは、下ガイド壁との間に隙間を設けるようにして、上ガイド壁に接触することとなる。そして、棚板は、棚板側ローラをレール部に配置されるストッパにより係止されるまで、棚板側ローラを上ガイド壁に対して転動させつつ、棚受に対する傾斜状態を維持されて、前方移動することとなる。そのため、上記構成の商品陳列棚においては、棚板側ローラをストッパに当接させるまで前方移動させた状態の棚板は、棚受に対して前下がりで傾斜して配置されることから、スライド移動後に、作業者が手を離しても、棚板が自重で後方移動することを抑制できて、前方移動状態を維持することができ、商品補充作業も容易である。また、上記構成の商品陳列棚では、商品補充作業後において、前方移動させた状態の棚板を収納状態に戻す際に、重心をレール部側ローラの後方に位置させるまで、棚板を棚受側に後方移動させるように押し込めば、棚板が、棚板側ローラを下ガイド壁に接触させるようにして、棚受に略沿って、水平面に対して僅かに前上がりに傾斜して配置されることとなり、その後は、自重により、スムーズに、収納位置まで後方移動させることが可能となる。そのため、商品として重量物を満載させた状態でも、スムーズに後方移動させることができる。
【００１２】
さらにまた、上記構成の商品陳列棚において、棚板の前縁側における裏面側に、棚受に対する棚板のスライドを規制可能なロック機構を、配置させ、
ロック機構を、下方側から把持することにより、ロック解除可能に、構成することが好ましい。
【００１３】
商品陳列棚を上記構成とすれば、スーパーマーケット等において商品を陳列している状態で、棚板が不用意に前方へスライド移動することを防止できる。また、ロック機構が、棚板の前縁側における裏面側に設けられていることから、棚板の前縁側にプライスカード等を取り付ければ、買物客等から視認し難く、買物客が誤って操作してしまうことも抑制できる。さらに、このロック機構は、下方側から把持することでロックを解除できることから、棚板の前縁側に取り付けられているプライスカードが、棚板よりも下方に突出するように取り付けられていても、支障なくロックを解除することができる。
【図面の簡単な説明】
【００１４】
【図１】本考案の一実施形態である商品陳列棚の概略斜視図である。
【図２】実施形態の商品陳列棚の部分拡大分解斜視図である。
【図３】実施形態の商品陳列棚における棚板を裏面側から見た斜視図である。
【図４】実施形態の商品陳列棚の部分拡大平面図である。
【図５】実施形態の商品陳列棚の部分拡大断面図であり、図４のＶ−Ｖ部位に対応する。
【図６】実施形態の商品陳列棚の部分拡大断面図であり、図４のVI−VI部位に対応する。
【図７】実施形態の商品陳列棚において、棚板を、第１スライド位置に配置させた状態と、第２スライド位置に配置させた状態と、を示す部分拡大断面図である。
【図８】実施形態の商品陳列棚において、棚板側ローラをストッパに当接させた状態を示す部分拡大断面図である。
【図９】実施形態の商品陳列棚において、棚板を棚受側に係止させるロック機構を示す部分拡大断面図である。
【考案を実施するための形態】
【００１５】
以下、本考案の一実施形態を図面に基づいて説明する。実施形態の商品陳列棚１は、図１に示すように、左右で並設される２本の支柱４と、各支柱４からそれぞれ前方に延びるように配置される棚受６と、棚受６により少なくとも左右の縁部側を支持される棚板２６と、を備える構成とされている。棚板２６は、図１の二点鎖線に示すように、棚受６に対して前方にスライド可能に、棚受６に取り付けられている。なお、図示しないが、実施形態の商品陳列棚１は、通常は、棚受６及び棚板２６を、上下で複数段配置させた状態で、使用される。また、実施形態では、上下・前後・左右の方向は、特に断らない限り、商品陳列棚１を設置面に設置した状態の鉛直方向に沿う方向を上下方向とし、支柱４側を後側として、説明をする。
【００１６】
支柱４は、金属製の角パイプ材から構成されるもので、設置面に設置される台座部３から、鉛直上方に延びるように、配置されている（図１参照）。支柱４における前壁４ａには、図２に示すように、棚受６に形成される係止爪７ａを挿入させて係止可能な取付孔４ｂが、開口して形成されている。取付孔４ｂは、上下方向に略沿った長穴状として、左右で並設されるとともに、それぞれ、上下方向に沿って多数形成されている。
【００１７】
棚受６は、実施形態の場合、それぞれ別体とされる棚受本体７と、レール部材８と、から、構成されている。棚受本体７は、板金素材から構成されるとともに、各支柱４から略前後方向に沿って前方に延びるように形成される長尺板状とされるもので、鉛直方向（支柱４の前壁４ａ）に略沿うように形成される後縁側に、上下方向に沿って複数（実施形態の場合、５個）の係止爪７ａを配設させ、この係止爪７ａを、支柱４の前壁４ａに形成される取付孔４ｂに挿入させて係止させることにより、支柱４に取り付けられる構成である（図２，５参照）。係止爪７ａは、詳細には、先端を下方に向けるように屈曲して、構成されている。また、実施形態の場合、棚受本体７の上縁７ｂは、水平面に対して僅かに前上がりで傾斜するように、構成されている。詳細には、棚受本体７の上縁７ｂと支柱４の前壁４ａとの交差角度αは、８９°に設定されている（図５参照）。棚受本体７の上縁７ｂには、レール部材８に形成される係止爪２１を係止可能に下方へ凹む凹部７ｃが、形成されている（図２，５参照）。
【００１８】
レール部材８は、各棚受本体７の上に配置されるレール部９と、レール部９の前端側を相互に連結するように左右方向に略沿って配置される連結板部２３と、を備えて構成されている。実施形態の場合、レール部材８（レール部９及び連結板部２３）は、図３に示すように、棚受本体７の上縁７ｂに沿って、水平面に対して僅かに前上がりで傾斜するように、構成されている。連結板部２３は、板金素材をプレス加工して構成されるもので、レール部９における前半分弱の領域に、配置されている。連結板部２３は、強度を高めるために、前縁側と後縁側とに、左右方向に沿って連続的に凹凸を設けられて構成されており、前縁側において上方に突出するように形成される突状部位２３ａに、棚板２６に設けられる後述するロック機構３２の係止片部３４を係止させる構成である。詳細に説明すれば、突状部位２３ａは、前端側に、下方に向かって延びる前壁２３ｂを配置させる構成とされ、この前壁２３ｂの下縁２３ｃ（先端）側に、ロック機構３２の係止片部３４を係止させる構成である。この連結板部２３は、実施形態の場合、左右両縁側を、レール部９（レール本体１０）の下面側に、溶接により固着されている。
【００１９】
レール部９は、板金素材をプレス加工して形成されるレール本体１０と、レール本体１０の前端側に配置されるレール部側ローラ１６と、を備えて構成されている。レール本体１０は、棚受本体７の上方において、前後方向に略沿って配置されるとともに、棚板２６の前後の略全域にわたって配設されるもので（図４参照）、左右方向の外方側を開口させた断面略コ字形状とされている（図６参照）。すなわち、レール本体１０は、棚板２６に設けられる後述する棚板側ローラ２８の下方に配置される下ガイド壁１１と、棚板側ローラ２８の上方に配置される上ガイド壁１２と、棚板側ローラ２８における左右方向の内側において下ガイド壁１１と上ガイド壁１２とを連結するように上下方向に略沿って配置される内側壁１４と、を備えている。
【００２０】
下ガイド壁１１は、棚受６を支柱４に取り付けた状態で、棚受本体７の上縁７ｂ上に載置されるように、棚受本体７の上縁７ｂと略平行に、構成されている。この下ガイド壁１１は、強度確保のために、左右方向の外縁側を、下方に向けるように屈曲させて構成され、この屈曲部位を、棚受本体７の外周面と接触させている（図６参照）。
【００２１】
上ガイド壁１２は、下ガイド壁１１と略平行に配置されるとともに、下ガイド壁１１より狭幅として、構成されている。詳細には、上ガイド壁１２は、左右方向の幅寸法を、棚板側ローラ２８の上方を略全面にわたって覆い可能として、かつ、下ガイド壁１１の左右方向の幅寸法の１／３程度に、設定されている（図５参照）。この上ガイド壁１２は、内側壁１４の前端近傍に配置されるレール部側ローラ１６の領域には配置されず、前端１２ａをレール部側ローラ１６の後側に近接させるように、構成されている（図５参照）。また、上ガイド壁１２は、支柱４近傍となる後端側の領域（実施形態の場合、取付片部１８の配置領域と略一致）を、棚板側ローラ２８を挿通可能に、左右の略全域にわたって切り欠かれて構成されている。実施形態の場合、この上ガイド壁１２の後端側に形成される開口１３は、前後方向側の開口幅寸法Ｗ１を、棚板側ローラ２８の外径寸法Ｒ１の３倍程度に、設定されている（図５参照）。
【００２２】
レール部側ローラ１６は、内側壁１４における前端近傍において、左右方向の外方側の面から外方に突出するように配置されるもので、内側壁１４に対して、棚板２６の下面側を支持して回動可能に、軸支されている。レール部側ローラ１６は、後方に位置する上ガイド壁１２との間の隙間から棚板側ローラ２８を挿通不能とするように、上ガイド壁１２に近接して配置されている。また、実施形態の場合、レール部側ローラ１６は、棚板２６の下面側を転動可能に、下ガイド壁１１との間に隙間を有し、かつ、上ガイド壁１２の上面よりも上方に突出するように配置されている。このレール部側ローラ１６は、外径寸法Ｒ２を、棚板側ローラ２８より大径とされている。実施形態の場合、レール部側ローラ１６の外径寸法Ｒ２は、棚板側ローラ２８の外径寸法Ｒ１の１．４倍程度に、設定されている（図５参照）。また、レール部側ローラ１６の外径寸法Ｒ２は、上ガイド壁１２と下ガイド壁１１との間の離隔距離Ｄ１より若干大きく設定されている（図５参照）。
【００２３】
レール部材８の後端側には、レール部材８を支柱４に対する左右方向の位置ずれを防止して配置させるための取付片部１８が、棚受本体７と略面一となるように、下ガイド壁１１の左右方向の外縁から上方に突出するようにして、形成されている（図２，６参照）。この取付片部１８は、図５，６に示すように、後縁側に、後方に向かって突出する略長方形状の挿入片１９を有しており、この挿入片１９を、支柱４に形成される取付孔４ｂに挿入させることにより、レール部材８を支柱４に対して左右方向に位置ずれさせることを抑制している。また、レール部９において、前後の中央より前方となる位置には、棚板２６のスライド移動時に前方移動する棚板側ローラ２８を停止可能なストッパ２０が、配置されている（図２，５，８参照）。実施形態の場合、ストッパ２０は、レール本体１０における内側壁１４から左右方向に沿った外方に突出するように、形成されるもので、レール本体１０の前端から１／３程度となる位置に、配置されている。さらに、レール本体１０において、下ガイド壁１１の前端近傍における下面側には、棚受本体７の上縁７ｂに形成される凹部７ｃに係止される係止爪２１が、下方に突出するように、形成されている（図２，５参照）。
【００２４】
棚板２６は、板金素材から構成されるもので、実施形態の場合、左右方向側を幅広とした略長方形板状として、構成されている。棚板２６における左右の縁部側には、それぞれ、下方に突出するとともに、前後方向に沿って配置される突出壁２７が、形成されている。この突出壁２７は、図６に示すように、下端側をレール部９の下ガイド壁１１に近接させるようにして、レール部９における上ガイド壁１２の外側に近接して配置されるもので、棚板２６の前方へのスライド時に、左右方向側へのぶれを抑制している。そして、各突出壁２７の後端近傍には、図３，４に示すように、突出壁２７から左右方向の内側に突出するようにして、棚板側ローラ２８が、配置されている。この棚板側ローラ２８は、回動自在として、レール部９における上ガイド壁１２と下ガイド壁１１とに対して転動可能に、突出壁２７に軸支されている。
【００２５】
棚板側ローラ２８は、上述したように、外径寸法Ｒ１を、レール部９の後端側において上ガイド壁１２を切り欠くようにして形成される開口１３の前後の幅寸法Ｗ１よりも、小さく設定されるとともに、レール部側ローラ１６の外径寸法Ｒ２よりも、小さく設定されている。さらに、棚板側ローラ２８は、外径寸法Ｒ１を、レール部９における上ガイド壁１２と下ガイド壁１１との間の離隔距離Ｄ１よりも小さな寸法に、設定されており、棚板側ローラ２８は、棚板２６を棚受６に対して収納させた収納位置Ｐ０においては、上ガイド壁１２との間に隙間を設けるようにして、下ガイド壁１１に接触して配置されることとなる。そして、棚板２６は、棚受６に対して収納させた収納位置Ｐ０においては、後端側の棚板側ローラ２８を下ガイド壁１１に当接させ、前端側をレール部側ローラ１６に当接させて、棚受本体７の上縁７ｂに略沿うように、水平面に対して僅かに前上がりで傾斜するように配置されることとなる（図５参照）。
【００２６】
そして、実施形態の場合、棚板側ローラ２８は、棚板２６の前方移動時において、棚板２６の重心Ｇをレール部側ローラ１６の後方に位置させた状態（第１スライド位置Ｐ１）では、上ガイド壁１２との間に隙間を設けるようにして下ガイド壁１１に接触して配置され（図７のＡ参照）、重心Ｇをレール部側ローラ１６の前方に位置させるまで、棚板２６を前方移動させた第２スライド位置Ｐ２では、図７のＢに示すように、下ガイド壁１１との間に隙間を設けるようにして、上ガイド壁１２に接触して配置されることとなる。実施形態の場合、棚板側ローラ２８の外径寸法Ｒ１は、上ガイド壁１２と下ガイド壁１１との間の離隔距離Ｄ１の３／４程度に設定されている。この外径寸法Ｒ１と離隔距離Ｄ１との寸法差は、棚板側ローラ２８を上ガイド壁１２に接触させた第２スライド位置Ｐ２において、棚板２６を水平面に略沿って配置可能な寸法差に、設定されている。
【００２７】
また、棚板２６において後縁側を除いた三方の縁部は、図２，３に示すように、先端を下方へ延ばすように、構成されており、棚板２６における後縁側は、先端を上方に延ばすように、構成されている。また、実施形態の場合、棚板２６は、左右両縁側における後側の角部を、支柱４を挿通可能に切り欠かれて構成されている。さらに、棚板２６における前縁側には、前下がりに傾斜しつつ後下方に向かって凹むように湾曲して構成されるカバー部２９が、左右の全域にわたって配置されている（図２，５参照）。実施形態の商品陳列棚１の使用時において、このカバー部２９の領域には、図９のＡに二点鎖線で示すように、下方に突出するようなプライスカードＰＣやポップが、取り付けられることとなる。さらに、棚板２６の裏面側には、前後方向に沿った２箇所に、左右方向に略沿うとともに左右の略全域にわたって、補強部材３０が、配置されている（図２，３参照）。
【００２８】
棚板２６の前縁側において、左右の中央付近における裏面側には、棚受６に対する棚板２６のスライドを規制可能なロック機構３２が、配置されている。ロック機構３２は、実施形態の場合、図３に示すように、後方と下方とを開口させた略箱形状のホルダ３３に保持されて、棚板２６に取り付けられるもので、棚受６における連結板部２３の前縁側に位置する前壁２３ｂの下縁２３ｃ側を係止可能な係止片部３４と、係止片部３４を取り付ける取付基部３９と、を備えて構成されている（図９参照）。取付基部３９は、ホルダ３３に取り付けられる構成であり、係止片部３４を、左右方向に略沿って配置される回動軸（図符号省略）を中心として、回動可能に軸支する構成である。係止片部３４は、後方に向かって突出するように配置される係止片本体３５と、斜め後下方に傾斜して突出する把持片３７と、を有しており、回動軸の周囲に配置されるねじりコイルばね４０により、係止片本体３５を上方に向けるように、付勢された状態で、取付基部３９に軸支されている。係止片本体３５は、水平面に略沿うように配置されるとともに、先端側に、上方に突出する突起部３６を、備える構成とされている。この突起部３６は、上端側で、棚受６における連結板部２３の前壁２３ｂの下縁２３ｃ側を係止する構成である。また、突起部３６は、後面３６ａを、前上がりに傾斜させて構成されており、この後面３６ａを、前方へスライド移動させた棚板２６を収納位置Ｐ０まで後方移動させる際のガイドとしている。
【００２９】
このロック機構３２では、棚受６に対して収納させた状態（突起部３６を前壁２３ｂの下縁２３ｃに係止させた状態）の棚板２６の前下方から手を差し入れ、図９のＡの二点鎖線に示すごとく、ねじりコイルばね４０を圧縮させるように、把持片３７の先端を前方移動させるようにして、係止片部３４を下方に向かって回動させれば、突起部３６と前壁２３ｂとの係止状態を解除させることができて、棚板２６を棚受６に対して前方にスライドさせることが可能となる。このとき、把持片３７から手を離せば、ねじりコイルばね４０が復元して、係止片部３４が、係止片本体３５を水平面に略沿って配置させるように、復帰する。そして、棚板２６を収納位置Ｐ０に戻す際には、棚板２６を後方にスライドさせれば、図９のＢの二点鎖線に示すように、突起部３６の後面３６ａが、連結板部２３の前壁２３ｂの下縁２３ｃと当接することとなり、突起部３６が、後方移動しつつ、この後面３６ａにガイドされて、ねじりコイルばね４０を圧縮させるように下方移動することとなる。そして、棚板２６が収納位置まで移動すれば、ねじりコイルばね４０が復元して、係止片部３４が復帰し、突起部３６により連結板部２３の前壁２３ｂを係止することができる。
【００３０】
実施形態の商品陳列棚１では、棚板２６の後端近傍に配置される棚板側ローラ２８を転動させるレール部９において、棚板側ローラ２８の上方に配置される上ガイド壁１２が、前方に配置されるレール部側ローラ１６との間の隙間を小さくするとともに、支柱４近傍となる後端側の領域に、棚板側ローラ２８を挿通可能な開口１３を備える構成としていることから、棚板２６を、前方にスライド移動させた状態では、棚受６から取り外すことができず、後方側の棚受６へ収納させた状態（収納位置Ｐ０）においてのみ、棚板側ローラ２８を開口１３に挿通させるようにして、棚受６から取り外すことができる。そのため、使用時において、棚板２６を前方へスライドさせた際に、棚板が誤って棚受から外れることを的確に防止することができる。また、実施形態の商品陳列棚１では、棚板２６は、棚板側ローラ２８を上ガイド壁１２に形成される開口１３に挿通させつつ、全体を上方移動させれば、棚受６から取り外すことができることから、棚受６への着脱も容易であり、メンテナンス作業等も容易である。
【００３１】
したがって、実施形態の商品陳列棚１では、棚板２６の棚受６への着脱が容易で、かつ、棚板２６をスライドさせて使用する際に、棚受６から外れることを防止することができる。
【００３２】
また、実施形態の商品陳列棚１では、棚板２６を、収納位置Ｐ０においてのみ、棚受６から取り外し可能であることから、棚板２６を棚受６により支持させつつ、着脱させることが可能であり、棚板２６の重量を全て作業者の手で支えなくともよく、着脱作業が容易である。特に、実施形態の商品陳列棚１では、棚板側ローラ２８を挿通させるレール部９の開口１３が、開口幅寸法Ｗ１を、棚板側ローラ２８の外径寸法Ｒ１の３倍程度と、大きく設定されていることから、棚板２６を、前下がりで傾斜させて前端側を棚受６（連結部材２３）に支持させるようにして、レール部９に着脱させることができる。
【００３３】
また、実施形態の商品陳列棚１では、棚板２６を棚受６に対してスライドさせるためのローラが、棚板２６の後端近傍に配置される棚板側ローラ２８と、棚受６におけるレール部９の前端近傍に配置されるレール部側ローラ１６と、の前後の２箇所に配置されていることから、重量物を載置させた場合にも、棚板２６を棚受６に対して安定して前後にスライドさせることができる。
【００３４】
さらに、実施形態の商品陳列棚１では、棚板２６及びレール部９が、水平面に対して、僅かに前上がりに傾斜して構成され、レール部側ローラ１６の後方に配置される棚板側ローラ２８の外径寸法Ｒ１が、レール部側ローラ１６より小径であって、かつ、上ガイド壁１２と下ガイド壁１１との間の離隔距離Ｄ１より、小さな寸法に設定されている。すなわち、実施形態の商品陳列棚１では、棚板２６のスライド前の状態（収納位置Ｐ０）では、棚板側ローラ２８は、上ガイド壁１２との間に隙間を設けるようにして、下ガイド壁１１に接触して配置されることとなる。そして、棚板２６及びレール部９が水平面に対して僅かに前上がりに傾斜していることから、スライド移動初期（第１スライド位置Ｐ１）には、棚板２６は、図７のＡに示すように、棚板側ローラ２８を下ガイド壁１１に対して転動させつつ、前方移動することとなるが、図７のＢに示すごとく、重心Ｇをレール部側ローラ１６の前方に位置させるまで、棚板２６が前方移動すれば（第２スライド位置Ｐ２）、棚板２６は、このレール部側ローラ１６を支点として、棚受６に対して前下がりに傾斜することとなり、棚板側ローラ２８は、下ガイド壁１１との間に隙間を設けるようにして、上ガイド壁１２に接触することとなる。そして、棚板２６は、図８に示すように、棚板側ローラ２８をレール部９に配置されるストッパ２０により係止されるまで、棚板側ローラ２８を上ガイド壁１２に対して転動させつつ、棚受６に対する傾斜状態を維持されて、前方移動することとなる。
【００３５】
すなわち、実施形態の商品陳列棚１においては、棚板側ローラ２８をストッパ２０に当接させるまで前方移動させた状態（第２スライド位置Ｐ２）の棚板２６は、棚受６に対して前下がりで傾斜して配置されることから、スライド移動後に、作業者が手を離しても、棚板２６が自重で後方移動することを抑制できて、前方移動状態を維持することができ、商品補充作業も容易である。また、実施形態の商品陳列棚１では、商品補充作業後において、前方移動させた状態の棚板２６を収納状態に戻す際に、重心Ｇをレール部側ローラ１６の後方に位置させるまで、棚板２６を棚受６側に後方移動させるように押し込めば、棚板２６が、第１スライド位置Ｐ１に復帰することとなって、棚板側ローラ２８を下ガイド壁１１に接触させるようにして、棚受６に略沿って、水平面に対して僅かに前上がりに傾斜して配置されることとなり、その後は、自重により、スムーズに、収納位置Ｐ０まで後方移動させることが可能となる。そのため、商品として重量物を満載させた状態でも、スムーズに後方移動させることができる。特に、実施形態の商品陳列棚１では、棚板２６は、重心Ｇをレール部側ローラ１６の前方に位置させた第２スライド位置Ｐ２の状態では、水平面に略沿った状態で配置されることから、商品の補充作業を一層安定して行うことができる。なお、勿論、このような点を考慮しなければ、棚板側ローラとレール部側ローラとの外径寸法を略同一に設定してもよい。
【００３６】
さらにまた、実施形態の商品陳列棚１では、棚板２６の前縁側における裏面側に、棚受６に対する棚板２６のスライドを規制可能なロック機構３２を、配置させ、このロック機構３２を、下方側から把持することにより、ロック解除可能に、構成している。そのため、実施形態の商品陳列棚１では、スーパーマーケット等において商品を陳列している状態で、棚板２６が不用意に前方へスライド移動することを防止できる。また、ロック機構３２が、棚板２６の前縁側における裏面側に設けられていることから、図９のＡの二点鎖線に示すごとく、棚板２６の前縁側にプライスカードＰＣ等を取り付ければ、買物客等から視認し難く、買物客が誤って操作してしまうことも抑制できる。さらに、このロック機構３２は、把持片３７を下方側から把持することでロックを解除できることから、棚板２６の前縁側に取り付けられているプライスカードＰＣが、棚板２６よりも下方に突出するように取り付けられていても、支障なくロックを解除することができる。
【００３７】
具体的には、実施形態の商品陳列棚１では、ロック機構３２が、把持片３７を前下方に向かって回転させた際にロック解除可能とされるとともに、ねじりコイルばね４０によりロック位置に付勢される係止片部３４を有しており、この係止片部３４を、棚受６における連結板部２３の前縁側において上下方向に沿うように配置される前壁２３ｂの下縁２３ｃ側に係止させる構成であることから、図９のＡの二点鎖線に示すごとく、ねじりコイルばね４０を圧縮させるように、把持片３７を前下方に向かって回転させれば、係止片本体３５が先端を後下方に向けるように回転して、前壁２３ｂの係止状態を解除されることとなる。また、係止片部３４における突起部３６の後面３６ａは、後下がりに傾斜していることから、前方移動させた棚板２６を後方移動させる際に、この後面３６ａが、連結板部２３の前壁２３ｂの下縁２３ｃに対してガイドとなり、前壁２３ｂの下縁２３ｃを後面３６ａに対して当接させた状態で、さらに棚板２６を後方移動させれば、突起部３６が、ねじりコイルばね４０を圧縮させるように下方移動することとなる。そして、棚板２６が収納位置まで移動すれば、ねじりコイルばね４０が復元して、係止片部３４が復帰し、突起部３６により連結板部２３の前壁２３ｂを係止することができる。そのため、実施形態の商品陳列棚１では、前方移動させた状態の棚板２６を、棚受６への収納状態に戻すように後方移動させるだけで、自動的に、ロック機構３２を作動させることができることから、使用時の操作が容易である。
【００３８】
なお、上記のような点を考慮しなければ、ロック機構を棚板の前縁側における裏面側に、配置させなくともよく、さらには、ロック機構自体を配設させない構成としてもよい。
【符号の説明】
【００３９】
１…商品陳列棚、
４…支柱、
６…棚受、
９…レール部、
１１…下ガイド壁、
１２…上ガイド壁、
１３…開口、
１６…レール部側ローラ、
２０…ストッパ、
２６…棚板、
２８…棚板側ローラ、
３２…ロック機構。
【図１】
0003169920.tif 000003
【図２】
0003169920.tif 000004
【図３】
0003169920.tif 000005
【図４】
0003169920.tif 000006
【図５】
0003169920.tif 000007
【図６】
0003169920.tif 000008
【図７】
0003169920.tif 000009
【図８】
0003169920.tif 000010
【図９】
0003169920.tif 000011